(57)【要約】【課題】  遮音床性能の向上を図るに際し、床梁又は床根太上における床厚を増大させず、建築現場での作業工数も低減すること。【解決手段】  遮音床構造であって、床下地材１１の下面に遮音シート１３が敷設されて取着されてなるもの。【選択図】  図１
2017066686.tif 000002
【特許請求の範囲】
【請求項１】
床下地材の下面に遮音シートが敷設されて取着されてなる遮音床構造。
【請求項２】
建物の床梁又は床根太の上に載置されて設置された床下地材の下面に遮音シートが敷設されて取着されてなり、
該遮音シートは該床下地材の下面のうちの該床梁又は床根太に載置される部分を除く部分に敷設されて取着されてなる建物の遮音床構造。
【請求項３】
床下地材の下面のうちで建物の床梁又は床根太に載置される部分を除く部分に遮音シートを敷設して取着し、次いで、該床下地材を該床梁又は床根太の上に載置して設置する建物における遮音床の施工方法。
【請求項４】
建物の床梁又は床根太の上に載置して設置された床下地材の下面のうちの該床梁又は床根太に載置されている部分を除く部分に遮音シートを敷設して取着する建物における遮音床の施工方法。
【発明の詳細な説明】
【技術分野】
【０００１】
本発明は、多層階住宅、特に木造や鉄骨構造の住宅において、上層階の振動や音が階下に伝搬するのを防止するに好適な遮音床構造、建物の遮音床構造、及び、建物における遮音床の施工方法に関する。
【背景技術】
【０００２】
従来、建物の床構造は、図４に示す如く、床梁１の上に接着剤を介してパーチクルボード等の床下地材１１を載置して固定的に設置し、この床下地材１１の上に接着剤によってフローリング等の床仕上材１２を敷設して貼着している。
【０００３】
他方、建物において上層階の振動や音が階下に伝搬するのを防止した特許文献１に記載の遮音床構造では、図５に示す如く、図４に示した床構造における床下地材１１と床仕上材１２の間に遮音シート１３を挟着している。床下地材１１の上に接着剤によって遮音シート１３を貼着し、その上に接着剤によって床仕上材１２を貼着するものである。
【０００４】
また、建物の床をリフォームするにあたり、特許文献２に記載の如く、既設の床材を剥がすことなく、その床材の上に遮音床構造を形成するものがある。これは、既設床材の上に接着剤によって遮音シートを貼着し、その上に接着剤によって表面板を貼着して遮音床構造とするものである。
【先行技術文献】
【特許文献】
【０００５】
【特許文献１】特開2000-226894号公報
【特許文献２】特開2004-19123号公報
【発明の概要】
【発明が解決しようとする課題】
【０００６】
床梁１の上に設置される床下地材１１と床仕上材１２の間に遮音シート１３を挟着した遮音床構造（特許文献１）、床梁の上に設置されている既設床材の上に遮音シート及び表面板を貼着する遮音床構造（特許文献２）にあっては、少なくとも遮音シートの厚み分だけ床梁上の床厚が増大し、天上高の確保を困難にする。
【０００７】
特に、建物の床をリフォームするにあたって遮音床構造を形成するために、既設床材の上に遮音シート及び表面板を貼着するときには、遮音シートの上に貼着される表面板の存在が床梁上における床厚を更に増大させるし、当該建物における既設ドア、窓等の建具の下端の高さレベルを床厚の増大化分だけ嵩上げする必要を生ずる。また、遮音シートの貼着作業だけでなく、表面板の貼着作業も必要になる等、建築現場での作業工数も多くなる。
【０００８】
本発明の課題は、遮音床性能の向上を図るに際し、床梁又は床根太上における床厚を増大させず、建築現場での作業工数も低減することにある。
【課題を解決するための手段】
【０００９】
請求項１に係る発明は、床下地材の下面に遮音シートが敷設されて取着されてなる遮音床構造である。
【００１０】
請求項２に係る発明は、請求項１に係る発明において更に、建物の床梁又は床根太の上に載置されて設置された床下地材の下面に遮音シートが敷設されて取着されてなり、該遮音シートは該床下地材の下面のうちの該床梁又は床根太に載置される部分を除く部分に敷設されて取着されてなるようにしたものである。
【００１１】
請求項３に係る発明は、床下地材の下面のうちで建物の床梁又は床根太に載置される部分を除く部分に遮音シートを敷設して取着し、次いで、該床下地材を該床梁又は床根太の上に載置して設置する建物における遮音床の施工方法である。
【００１２】
請求項４に係る発明は、建物の床梁又は床根太の上に載置して設置された床下地材の下面のうちの該床梁又は床根太に載置されている部分を除く部分に遮音シートを敷設して取着する建物における遮音床の施工方法である。
【発明の効果】
【００１３】
（請求項１、２）
(a)遮音シートは、床梁又は床根太の上に設置される床下地材の下面に取着され、床下地材の上面の高さレベルに影響を与えない。即ち、遮音シートの厚みが床梁又は床根太上の床厚を増大させず、天上高の確保を阻害しない。
【００１４】
(b)建物の床をリフォームするにあたって既設床に遮音床構造を付加するときにも、遮音シートは既設床における床下地材の下面に取着されることから、上述(a)により床梁又は床根太上の床厚を増大させず、当該建物における既設ドア、窓等の建具の下端の高さレベルを床厚の増大化分だけ嵩上げする必要を生じない。また、遮音シートは、床裏空間に臨むものであって、表面板を貼着する必要もなく、建築現場での作業工数も低減できる。
【００１５】
（請求項３）
(c)建物の床を新設するに際し、床下地材の下面のうちで建物の床梁又は床根太に載置される部分を除く部分に遮音シートを敷設して取着し、次いで、この遮音シートが取着された床下地材を該床梁又は床根太の上に載置して設置することにより、床梁又は床根太の上方から簡易に遮音床構造を施工できる。
【００１６】
（請求項４）
(d)建物の床をリフォームするに際し、建物の床梁又は床根太の上に載置して設置された床下地材の下面のうちの該床梁又は床根太に載置されている部分を除く部分に遮音シートを敷設して取着することにより、既設床を剥がすことなく、その床裏空間から簡易に遮音床構造を施工できる。
【図面の簡単な説明】
【００１７】
【図１】図１は遮音床構造の一実施例を示す模式断面図である。
【図２】図２は遮音床の施工方法の一例を示す模式断面図である。
【図３】図３は遮音床の施工方法の他の例を示す模式断面図である。
【図４】図４は従来の床構造を示す模式断面図である。
【図５】図５は従来の遮音床構造を示す模式断面図である。
【発明を実施するための形態】
【００１８】
図１は、本発明の遮音床構造が適用された床１０の一実施例を示す。尚、本発明は、壁構造の建物にも、軸組構造の建物にも適用できる。また、本発明は、鉄骨系建物にも、木質系建物にも適用できる。また、本発明は、一般建物にも、建物ユニットにも適用できる。
【００１９】
本実施例の床１０は、鋼管等からなる床梁１の上に接着剤を介してパーチクルボード等の床下地材１１が載置されて設置され、この床下地材１１の上に接着剤によってフローリング等の床仕上材１２が敷設されて貼着される。
【００２０】
更に、床１０にあっては、床下地材１１の下面に遮音シート１３が敷設されて貼着される。ここで、遮音シート１３は、床下地材１１の下面のうちの床梁１に載置される部分１１Ａを除く部分に敷設されて貼着される。
【００２１】
遮音シート１３は、基本的には、制振層と緩衝層との積層体から構成されているが、制振層と緩衝層との少なくとも一方でも良い。また、この積層体の制振層と緩衝層の少なくともいずれか一方に保護層が設けられていても良い。
【００２２】
上記制振層は、基本的には、アスファルト等のバインダーと質量を付与するための鉄鉱石、転炉スラグ等の高比重鉱物質等からなるフィラーとから構成され、これに添加剤等が添加されていても良い。
【００２３】
上記緩衝層としては、不織布、緩衝ゴム、ポリウレタン等のプラスチック発泡体等が用いられ、好ましくはプラスチック発泡体である。
【００２４】
上記保護層としては、例えば、天然繊維、合成繊維或いは糸状の金属等を織ったり、編んだりして作製された面状のもの、それらと同様の材料を織ったり編んだりする工程を経ずに作製された面状製品である不織布、或いは高分子化合物をシート状やメッシュ状に成形したもの、金属のシート状のもの等が挙げられる。
【００２５】
上記制振層と緩衝層との積層方法、及びこれらと保護層との積層方法は、特に限定されないが、一般に接着剤が用いられる。
【００２６】
尚、後述する本発明例１では、遮音シート１３として、東邦亜鉛株式会社製の床用遮音シートＳＦ−６００（厚さ６ｍｍ、比重２．６）を採用した。この床用遮音シートは、アスファルト高比重鉱物質からなる制振層を２枚の合成樹脂不織布からなる保護層によって挟んだものである。
【００２７】
本実施例によれば以下の作用効果を奏する。
(a)遮音シート１３は、床梁１の上に設置される床下地材１１の下面に貼着され、床仕上材１２の上面の高さレベルに影響を与えない。即ち、遮音シート１３の厚みが床梁１上の床厚を増大させず、天上高の確保を阻害しない。
【００２８】
(b)建物の床１０をリフォームするにあたって既設床に遮音床構造を付加するときにも、遮音シート１３は既設床における床下地材１１の下面に貼着されることから、上述(a)により床梁１上の床厚を増大させず、当該建物における既設ドア、窓等の建具の下端の高さレベルを床厚の増大化分だけ嵩上げする必要を生じない。また、遮音シート１３は、床裏空間に臨むものであって、表面板を貼着する必要もなく、建築現場での作業工数も低減できる。
【００２９】
以下、本発明による遮音床１０の施工方法について説明する。
【００３０】
（施工方法１）（図２）
施工方法１は、主として建物の新設床１０に、本発明を適用するにあたって用いることができる。
【００３１】
(1)床下地材１１の下面のうちで建物の床梁１に載置される部分１１Ａを除く部分に、遮音シート１３を敷設して貼着する。
【００３２】
(2)上記(1)の床下地材１１を床梁１の上に載置して設置する。
【００３３】
(3)上記(2)の床下地材１１の上に床仕上材１２を敷設して貼着する。
【００３４】
本施工方法１によれば、建物の床１０を新設するに際し、床下地材１１の下面のうちで建物の床梁１に載置される部分１１Ａを除く部分に遮音シート１３を敷設して取着し、次いで、この遮音シート１３が貼着された該床下地材１１を該床梁１の上に載置して設置することにより、床梁１の上方から簡易に遮音床構造を施工できる。
【００３５】
（施工方法２）
施工方法２は、主として建物をリフォームするときに、本発明を適用して遮音床１０を形成するにあたって用いることができる。
【００３６】
(1)建物の床梁１の上に床下地材１１及び床仕上材１２からなる既設床（新設床でも可）が載置されて設置されている。
【００３７】
(2)上記(1)の既設床における床下地材１１の下面のうちで床梁１に設置される部分１１Ａを除く部分に、遮音シート１３を敷設して貼着する。
【００３８】
本施工方法２によれば、建物の床１０をリフォームするに際し、建物の床梁１の上に載置して設置された床下地材１１の下面のうちの該床梁１に載置されている部分１１Ａを除く部分に遮音シート１３を敷設して取着することにより、既設床を剥がすことなく、その床裏空間から簡易に遮音床構造を施工できる。
【００３９】
表１は、比較例１、２、本発明例１の各床について、衝撃音の各周波数帯域（63Hz、125Hz、250Hz、500Hz）に対する重量床衝撃音を測定した結果を示すとともに、比較例１の床に対して比較例２、本発明例１の各床が各周波数帯域でなした改善量（遮音効果）を示したものである。
【００４０】
尚、表１において、比較例１の床は20mm厚みのパーチクルボードからなる床下地材１１、及び6mm厚みのフローリングからなる床仕上材１２により構成され、比較例２の床は比較例１の床の床下地材１１と床仕上材１２の間に前述の床用遮音シートからなる遮音シート１３を挟着したものにより構成され、本発明例１の床は比較例１の床下地材１１の下面に前述の床用遮音シートからなる遮音シート１３を貼着したものにより構成される。
【００４１】
【表１】
2017066686.tif 000003
【００４２】
表１によれば、本発明例１によって良好な遮音性能を得たことが認められる。
尚、本発明例１は、従来の遮音床構造からなる比較例２に対し、125Hz帯、250Hz帯、500Hz帯において、一層良好な遮音性能を認めた。これは、床１０の床下放射面側である床下地材１１の下面が遮音シート１３により直接的に制振されること、床１０の上面に作用する衝撃源から遠くに配置された遮音シート１３の振動が大きくなってより制振されることに起因したものと推測される。
【００４３】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の遮音シートは、床下地材に、接着剤を介して貼着されて取着されるものに限らず、釘、ステープル、フィニッシュネイル等の固定具により取着されても良い。
【００４４】
また、本発明の遮音シートが敷設される床下地材は、床梁の上だけでなく、床根太の上に載置されて設置されるものでも良い。
【産業上の利用可能性】
【００４５】
本発明によれば、遮音床性能の向上を図るに際し、床梁又は床根太上における床厚を増大させず、建築現場での作業工数も低減することができる。
【符号の説明】
【００４６】
１  床梁
１０  床
１１  床下地材
１１Ａ  床梁に載置される部分
１２  床仕上材
１３  遮音シート
【図１】
2017066686.tif 000004
【図２】
2017066686.tif 000005
【図３】
2017066686.tif 000006
【図４】
2017066686.tif 000007
【図５】
2017066686.tif 000008